(57)【要約】【課題】トーションバーのばね力の調整を操作装置の筐体前面で行うことが可能な操作装置を提供すること。【解決手段】レバー３を介してトーションバー４に連結されたリンク２に、トーションバー４によるトルクの調整機能を設けた。すなわち、リンク２を分割構造とし、第１のリンク部材２ａと第２のリンク部材２ｃとをナット２ｂを用いてねじ締結させ、このねじ締結を調整することによりリンク２の長さを変えることでトーションバー４によるトルクの調整を行う。【選択図】図１
2010272359.tif 000002
【特許請求の範囲】
【請求項１】
開閉器を操作するための操作装置であって、
一端が前記操作装置の筐体に固着され、他端がジョイント部材に固着された第１のトーションバーと、
この第１のトーションバーに並設されると共に、一端が前記筐体により回動自由に支持され、他端が前記ジョイント部材に固着された第２のトーションバーと、
この第２のトーションバーの前記一端に固着されたレバーと、
このレバーに一端が連結されたリンクと、
このリンクの他端に連結され、前記トーションバーによるばね力を伝達する被駆動部と、
を備え、
前記リンクは、
前記被駆動部に連結される第１のリンク部材と、
前記レバーに連結される第２のリンク部材と、
前記第１のリンク部材と前記第２のリンク部材とを接続するとともに、ねじ構造を備えて前記リンクの長さの調整が可能な接続部と、
を有する、
ことを特徴とする操作装置。
【請求項２】
前記接続部は、接続方向の両端部に互いに巻き方向が逆向きのねじ部を有し、
前記一方のねじ部が螺合するねじ穴を前記第１のリンク部材に設けると共に、前記他方のねじ部が螺合するねじ穴を前記第２のリンク部材に設けたことを特徴とする請求項１に記載の操作装置。
【請求項３】
前記接続部は、前記ねじ部間に断面六角形状の六角形状部を有することを特徴する請求項２に記載の操作装置。
【請求項４】
前記接続部は、前記第１のリンク部材の端部に形成されたねじ部からなり、
このねじ部が螺合するねじ穴を前記第２のリンク部材に設けたことを特徴とする請求項１に記載の操作装置。
【請求項５】
前記接続部は、前記第２のリンク部材の端部に形成されたねじ部からなり、
このねじ部が螺合するねじ穴を前記第１のリンク部材に設けたことを特徴とする請求項１に記載の操作装置。
【発明の詳細な説明】
【技術分野】
【０００１】
本発明は、例えば開閉機器等の操作装置に関し、特にトーションバーのトルクにより操作力を得る操作装置に関する。
【背景技術】
【０００２】
特許文献１に記載の従来の操作装置は、一端が操作装置の筐体に固着され他端がジョイント部材の一端側に固着された第１のトーションバーと、一端がレバーに固着され他端がジョイント部材の他端側に固着された第２のトーションバーと、を備え、このジョイント部材が、第１のトーションバーの固着点と第２のトーションバーの固着点とが分離可能なように分割されている。そして、この分割部に挿入されるスペーサの厚みを変えることによりトーションバーのばね力（トルク）を調整している。
【先行技術文献】
【特許文献】
【０００３】
【特許文献１】特公平７−１１４０９１号公報
【発明の概要】
【発明が解決しようとする課題】
【０００４】
しかしながら、上記従来の操作装置では、トーションバーのばね力を調整する機能を有するジョイント部材を操作装置の筐体から離れたトーションバー端部に設けている。そのため、トーションバーを覆う筒体等にばね力の調整のための開口部を設けるなどして調整作業性を確保する必要があり、開閉機器内の操作装置の配置設計上の制約条件になるという問題点があった。
【０００５】
この発明は、上述の課題を解決するためになされたもので、トーションバーのばね力の調整を操作装置の筐体前面で行うことが可能な操作装置を提供することを目的とする。
【課題を解決するための手段】
【０００６】
上述した課題を解決し、目的を達成するために、本発明にかかる操作装置は、開閉器を操作するための操作装置であって、一端が前記操作装置の筐体に固着され、他端がジョイント部材に固着された第１のトーションバーと、この第１のトーションバーに並設されると共に、一端が前記筐体により回動自由に支持され、他端が前記ジョイント部材に固着された第２のトーションバーと、この第２のトーションバーの前記一端に固着されたレバーと、このレバーに一端が連結されたリンクと、このリンクの他端に連結され、前記トーションバーによるばね力を伝達する被駆動部と、を備え、前記リンクは、前記被駆動部に連結される第１のリンク部材と、前記レバーに連結される第２のリンク部材と、前記第１のリンク部材と前記第２のリンク部材とを接続するとともに、ねじ構造を備えて前記リンクの長さの調整が可能な接続部と、を有する、ことを特徴とする。
【発明の効果】
【０００７】
この発明によれば、リンクの長さを調整することにより第１および第２のトーションバーのばね力の調整が可能なため、操作装置の筐体の前面側に配置されるリンクにてばね力の調整作業を行うことができ、従来の操作装置のように、筐体から離れたトーションバーの他端側端部での調整作業のための構造もしくは空間を設ける必要がないという効果がある。
【図面の簡単な説明】
【０００８】
【図１】図１は、実施の形態１にかかる操作装置の構成を示す正面図である。
【図２】図２は、実施の形態１にかかる操作装置の構成を示す斜視図である。
【図３】図３は、実施の形態１にかかる操作装置の筐体及びトーションバー部の構成を示す断面図である。
【図４】図４は、実施の形態１にかかる操作装置の開路状態を示す構成図である。
【図５】図５は、実施の形態１にかかる操作装置の閉路初期状態を示す構成図である。
【図６】図６は、実施の形態２にかかる操作装置の構成を示す正面図である。
【図７】図７は、実施の形態２にかかる操作装置の構成を示す斜視図である。
【発明を実施するための形態】
【０００９】
以下に、本発明にかかる操作装置の実施の形態を図面に基づいて詳細に説明する。なお、この実施の形態によりこの発明が限定されるものではない。
【００１０】
実施の形態１．
図１は、本実施の形態にかかる操作装置の構成を示す正面図、図２は、その斜視図である。なお、図１では、閉路状態を示している。また、図３は、本実施の形態にかかる操作装置の筐体及びトーションバー部の構成を示す断面図である。操作装置は、例えば遮断器等の開閉器の操作装置である。
【００１１】
図１〜図３に示すように、操作装置の筐体１内には、レバー１０が回転軸３３に固着して設けられ、この回転軸３３は回動自由に筐体１に支持されている。回転軸３３には、第１のトーションバー７の一端側が固着されている。また、レバー１０は、リンク機構４９を介して開閉器の可動接触子５０に連結されると共に、筐体１外に設けられた緩衝器２２に連結されている。緩衝器２２は、可動接触子５０の開閉時の衝撃を緩和する。レバー１０には、ピン６０が設けられている。また、レバー１０には、ローラ２５が枢支されている。
【００１２】
引外しラッチ１９は、ピン６０と係合している。引外しトリガ２１は、この引外しラッチ１９と係合している。電磁石８２は、往復動可能なプランジャ２０を有する。
【００１３】
筐体１に支承されたカム軸１４にはカム１１が装着されている。カム１１には、ピン１６が設けられている。投入ラッチ１３は、ピン１６に係合している。投入トリガ１７は、投入ラッチ１３と係合している。また、電磁石８１は、往復動可能なプランジャ１８を有する。
【００１４】
ここで、トーションバー部の詳細について説明する（図３）。トーションバー部は、棒形状の弾性体であるトーションバー４（第２のトーションバー）、トーションバー５（第１のトーションバー）、ならびトーションバー７、トーションバー９を備えている。トーションバー４の一端には回転軸３４が固着され、この回転軸３４はベアリング３６を介して筐体１に回動自由に支持されている。また、回転軸３４にはレバー３が固着されている。トーションバー４の他端はジョイント部材６に固着されている。トーションバー５はトーションバー４に並設され、その一端は固定金具２４に固着され、この固定金具２４は筐体１に固着されている。トーションバー５の他端はジョイント部材６に固着されている。
【００１５】
また、トーションバー７の一端には回転軸３３が固着され、この回転軸３３はベアリング３５を介して筐体１に回動自由に支持されている。また、上述のように、回転軸３３にはレバー１０が固着されている。トーションバー７の他端はジョイント部材８に固着されている。トーションバー９はトーションバー７に並設され、その一端は固定金具２７に固着され、この固定金具２７は筐体１に固着されている。トーションバー９の他端はジョイント部材８に固着されている。
【００１６】
トーションバー部は、ばねカバー２３に覆われ、操作装置の筐体１の背面側に設けられている（図２）。トーションバー４，５、トーションバー７，９は、それぞれ対になり捩り力によってばね力（トルク）を与える。
【００１７】
上述のように、トーションバー４の一端部に回転軸３４が固着され、この回転軸３４にはレバー３が固着されている。このレバー３は、リンク２を介して、カム軸１４に固着された歯車１２と連結されている。なお、レバー２は筐体１の前面（正面）に配置され、操作装置が収納されている操作箱の扉（図示せず）を開けたときに前面（正面）に配置されるようになっている。
【００１８】
一方、筐体１に支承された回転軸３８は、モータ（図示せず）により反時計方向に駆動され、この回転軸３８には小径の歯車３９が固着されている。歯車１２はこの歯車３９と噛み合うように構成されている。また、歯車１２は、トーションバー４、トーションバー５が蓄勢された状態で、歯車３９との噛み合いが外れるように一部の歯が欠いてある。
【００１９】
次に、本実施の形態におけるリンク２の構造について説明する。図１に示すように、リンク２は、左ねじ用の穴（図示せず）が加工された第１のリンク部材２ａと、右ねじ用の穴（図示せず）が加工された第２のリンク部材２ｃと、第１のリンク部材２ａと第２のリンク部２ｃとを接続するナット２ｂと、を備えている。また、ナット２ｂは、断面が例えば六角形状の六角断面部２ｂ２と、この六角断面部２ｂ２の軸方向（接続方向）の一端に設けられ第１のリンク部材２ａの左ねじ用の穴に螺合する左ねじ部２ｂ１と、前記軸方向の他端に設けられ第２のリンク部材２ｃの右ねじ用の穴に螺合する右ねじ部２ｂ３とを備えている。また、リンク２は、ナット２ｂの回り止め用として、左ねじ用ナット２ｄと右ねじ用ナット２ｅとを備えている。なお、上記において、右ねじと左ねじの構造を入れ替えてもよい。つまり、接続方向の両端部に互いに巻方向が逆向きのねじ部が設けられていればよい。また、第１のリンク部材２ａは、ピン６１により歯車１２に回動自由に結合されており、第２のリンク部材２ｃは、ピン６２によりレバー３に回動自由に結合されている。
【００２０】
このように、本実施の形態では、リンク２は第１のリンク部材２ａと第２のリンク部材２ｃとに分割され、ねじ構造を有する接続部（ナット２）で双方を接続している。また、後述するように、ねじの回転を調整することでリンク長（リンク２の長手方向の長さ）を調整することができる。なお、ナット２ｂは、例えば六角棒の両端をねじ加工することで、六角断面部２ｂ２の両端に左ねじ部２ｂ１と右ねじ部２ｂ３とを一体的かつ容易に形成することができる。また、六角断面部２ｂ２を設けることで、この六角断面部２ｂ２にスパナ等の工具を当てナット２を容易に回転することができる。
【００２１】
次に、本実施の形態の動作について説明する。本実施の形態における被駆動部の駆動動作および蓄勢動作については従来の操作装置と同じである（例えば、特許文献１を参照。）。なお、被駆動部とは、リンク２に連結されトーション部で生成された操作力を可動接触子５０に伝達する操作装置の動力伝達機構を総称する。以下、開路動作、閉路動作、および蓄勢動作について簡単に説明する。
【００２２】
まず、開路動作について図１〜図４を参照して説明する。図４は、本実施の形態にかかる操作装置の開路状態を示す構成図である。図１〜図３において、レバー１０はトーションバー７，９により常時反時計方向の回転力が与えられており、その回転力は引外しラッチ１９および引外しトリガ２１にて保持されている。したがって、この状態にて電磁石８２が励磁されると、プランジャ２０が右方向に動作し、引外しトリガ２１が時計方向に回転し、引外しラッチ１９がピン６０からの反力により反時計方向に回転する。引外しラッチ１９がピン６０からはずれると、レバー１０は反時計方向に回転し、可動接触子５０がリンク機構４９を介して遮断方向に駆動され、図４に示す開路状態で動作は完了する。
【００２３】
次に、閉路動作について図４、図５を参照して説明する。図５は、本実施の形態にかかる操作装置の閉路初期状態を示す構成図である。図４において、カム１１はカム軸１４、歯車１２、リンク２を介してレバー３に連結されており、トーションバー４，５により時計方向の回転力が与えられている。そして、その回転力は投入ラッチ１３および投入トリガ１７にて保持されている。この状態にて電磁石８１が励磁されると、プランジャ１８が右方向に動作し、投入トリガ１７が時計方向に回転し、投入ラッチ１３がカム１１に設けられたピン１６からの反力により、反時計方向に回転する。そして、投入ラッチ１３がピン１６からはずれ、カム１１が時計方向に回転しレバー１０に設けられたローラ２５を押し上げるため、レバー１０はトーションバー７，９をねじりながら時計方向に回転し、可動接触子５０がリンク機構４９を介して投入方向に駆動される。図５は、投入動作が完了し、再びピン６０が引外しラッチ１９にて保持された状態である。
【００２４】
トーションバー４，５の蓄勢動作は次のように行う。図５に示すように、投入動作の完了直後には、トーションバー４，５は放勢状態にある。歯車３９は図示しない歯車を介して前述のモータに結合されており、歯車３９が反時計方向に回転することにより、歯車１２が時計方向（Ａ方向）に回転し、リンク２、レバー３、回転軸３４を介して、トーションバー４，５が蓄勢される。
【００２５】
以上のように、蓄勢機構により歯車１２がＡ方向に回転することにより、リンク２、レバー３を介してトーションバー４，５がねじられ、エネルギーが蓄勢される。また、被駆動部の駆動動作時は、この蓄勢されたエネルギーを放勢することで、Ａ方向に歯車１２が回転する。
【００２６】
次に、トルク（ばね力）の調整作業について図５を用いて説明する。調整作業時は図５に示すように放勢状態で行う。まず、左ねじ用ナット２ｄと右ねじ用ナット２ｅを緩める。ばね力を強めるときは、ナット２ｂの六角断面部２ｂ２にスパナ等の工具を当てＦ方向に回し、ピン６１とピン６２との間の距離を短くする。すなわち、第１のリンク部材２ａと第２のリンク部材２ｃとを接続する接続部（ナット２）のねじ巻状態を調整して、リンク２の長手方向の長さを短くする。これによりリンク２に取り付けられたレバー３がＣ方向に回転し、回転軸３４を介してレバー３に同軸回転するよう支持されたトーションバー４が捻られ、ばね力が調整される。ばね力を弱めるときは、ナット２ｂの六角断面部２ｂ２をＥ方向へ回転させ、ピン６１とピン６２との間の距離を長くする。これによりレバー２をＢ方向に回転させ、ばね力を調整できる。
【００２７】
本実施の形態によれば、操作装置の筐体１の前面（正面）に配置されているリンク２にて、トーションバー４，５のトルクの調整が可能であり、従来の操作装置のように、操作装置の筐体１から離れたトーションバー端部（具体的には、ジョイント部材６）での調整作業のための構造もしくは空間を設ける必要がないという効果がある。
【００２８】
従来の操作装置では、図２のばねカバー２３を開け、ジョイント部材６にスペーサを挟んでばね力の調整を行う必要があったが、トーションバー部はタンクの下に配置されるなど作業性が悪かった。本実施の形態では、リンク２は筐体１の正面に配置されているので、スペースも広く、作業が容易となる。
【００２９】
また、本実施の形態では、接続部として、接続方向の両端部に互いに巻き方向が逆向きのねじ部を有するナット２ｂを用いている。ナット２ｂは、例えば六角棒などの棒状の材料の端部をねじ加工することで一体的かつ容易に形成することができる。また、左ねじ部２ｂ１と右ねじ部２ｂ３との間に六角断面部２ｂ２を設けることで、スパナ等の工具をこの部分に当てナット２を容易に回転することができる。
【００３０】
実施の形態２.
図６は、本実施の形態にかかる操作装置の構成を示す正面図、図７は、その斜視図である。なお、筐体１及びトーションバー部の断面構成は図３と同様である。
【００３１】
図６、図７に示すように、本実施の形態では、リンク２８の構造が実施の形態１のリンク２の構造と異なっている。すなわち、リンク２８は、ねじ穴（図示せず）が加工された第１のリンク部材２８ａと、このねじ穴に螺合するねじ部２８ｄが端部に形成された第２のリンク部材２８ｂと、ねじ穴に螺合されたねじ部２８ｄの回り止め用のナット２８ｃと、を有する構成である。また、第２のリンク部材２８ｂはレバー３にピン６２により回動自由に結合され、第１のリンク部材２８ａは歯車１２にピン６１により回動自由に結合されている。なお、本実施の形態では、ねじ部２８ｄを第１のリンク部材２８ａの端部に形成し、ねじ穴を第２のリンク部材２８ｂに形成する構成でもよい。また、本実施の形態のその他の構成は実施の形態１と同様である。
【００３２】
本実施の形態の開路動作、閉路動作、および蓄勢動作に関しては実施の形態１と同じであるため省略する。トルクの調整作業は次のように行う。まず、レバー３と第２のリンク部材２８ｂとの連結を外し、ナット２８ｃを緩め、第２のリンク部材２８ｂを回転させ、ピン６１とピン６２との間の距離を調整する。この距離を短くするとばね力が強まり、長くするとばね力が弱まるのは実施の形態１で説明したとおりである。そして、ナット２８ｃを締め、レバー３と第２のリンク部材２８ｂとを連結することで、ばね力の調整が完了する。
【００３３】
本実施の形態によれば、操作装置の筐体１の前面（正面）に配置されているリンク２８にて、トーションバー４，５のトルク（ばね力）の調整が可能であり、従来の操作装置のように、操作装置の筐体１から離れたトーションバー端部（具体的には、ジョイント部材６，８）での調整作業のための構造もしくは空間を設ける必要がないという効果がある。
【産業上の利用可能性】
【００３４】
以上のように、本発明は、トーションバーのトルクを調整できる開閉器の操作装置として有用である。
【符号の説明】
【００３５】
１  筐体
２  リンク
２ａ  第１のリンク部材
２ｂ  ナット
２ｂ１  左ねじ部
２ｂ２  六角断面部
２ｂ３  右ねじ部
２ｃ  第２のリンク部材
２ｄ  左ねじ用ナット
２ｅ  右ねじ用ナット
３  レバー
４，５，７，９  トーションバー
６，８  ジョイント部材
１０  レバー
１１  カム
１２，３９  歯車
１３  投入ラッチ
１４  カム軸
１６，６０，６１，６２  ピン
１７  投入トリガ
１８，２０  プランジャ
１９  引外しラッチ
２１  引外しトリガ
２３  ばねカバー
２４，２７  固定金具
２５  ローラ
２８  リンク
２８ａ  第１のリンク部材
２８ｂ  第２のリンク部材
２８ｃ  ナット
３３，３４  回転軸
５０  可動接触子
８１，８２  電磁石
【図１】
2010272359.tif 000003
【図２】
2010272359.tif 000004
【図３】
2010272359.tif 000005
【図４】
2010272359.tif 000006
【図５】
2010272359.tif 000007
【図６】
2010272359.tif 000008
【図７】
2010272359.tif 000009